(57)【特許請求の範囲】
【請求項１】
遊技機枠と、
前記遊技機枠に取り付けられる遊技盤と、
前記遊技盤の裏面側に配される基板ケースと、
前記基板ケースに収納される制御基板と、
前記制御基板に実装され、前記基板ケースに形成された開口部から露出するコネクタと、
前記コネクタを覆うコネクタカバーと、を備えた遊技機であって、
前記基板ケース及び前記コネクタカバーは、
所定経路に沿って移動させることにより着脱される構成とされ、さらに、
前記遊技盤を前記遊技機枠に取り付けた状態では、前記遊技機枠又は前記遊技機枠に設けられたストッパ手段により取外し方向への移動が規制され、前記遊技盤を前記遊技機枠から取り外した状態では、当該基板ケースを取外し方向へ移動させることなく当該コネクタカバーを取外し方向へ移動させることができるように、取り付けられていることを特徴とする遊技機。
【請求項２】
前記遊技機枠は、前記遊技盤が取り付けられる内枠と、前記遊技盤の前面を視認可能とする窓部を備えた前枠と、を備えて構成され、
前記コネクタカバーは、前記遊技盤を前記遊技機枠に取り付けた状態では、前記内枠により取外し方向への移動が規制されるよう構成されていることを特徴とする請求項１に記載の遊技機。
【請求項３】
前記基板ケースは、前記制御基板を収納する基板ケース本体と、該基板ケース本体を回動可能に固定する台座部とを備えた構成とされ、
前記コネクタカバーは、
前記遊技盤を前記遊技機枠に取り付けた状態では、前記基板ケース本体が回動されているか否かにかかわらず、取外し方向への移動が規制されることを特徴する請求項１又は２に記載の遊技機。
【請求項４】
前記遊技盤の裏面側に配される画像表示器と、
前記画像表示器を覆う表示器ユニットケースと、
前記表示器ユニットケースが組み付けられ、前記遊技盤の裏面側に取り付けられる裏面側部材と、を備え、
前記基板ケースは、前記表示器ユニットケースの裏面側に取り付けられ、
前記表示器ユニットケースは、
前記遊技盤を前記遊技機枠に取り付けた状態では、前記裏面側部材に対する組付部を、当該遊技機の背面側に露出させないよう構成されていることを特徴とする請求項１乃至３のいずれか一項に記載の遊技機。
【請求項５】
前記基板ケースは、前記表示器ユニットケースと前記裏面側部材とに跨って取り付けられていることを特徴とする請求項４に記載の遊技機。
【発明の詳細な説明】
【技術分野】
【０００１】
本発明は、遊技機に関し、特に、制御基板を収納する基板ケースに関する。
【背景技術】
【０００２】
下記特許文献１に記載の遊技機では、主制御基板のコネクタ部分を覆うためのコネクタカバーを、主基板ケースに取り付けている。そして、遊技盤を遊技機枠に取り付けると、主基板ケースを取外し方向に移動させることができなくなるとともに、コネクタカバーも取外し方向へ移動させることができなくなるように構成されている。これにより、主制御基板のコネクタに接続された正規の外部コネクタを取り外して不正な外部コネクタを接続する不正行為を防止している。
【０００３】
ここで、具体的に従来のパチンコ遊技機における主基板ケース及びコネクタカバーの組み付け構造について、図１３〜１７に基づいて説明する。図１３，１４に示すように、従来のパチンコ遊技機１００では、液晶ベース１０１および液晶表示装置１０２が取り付けられた遊技盤１０３に、後方から盤裏カバー１０４が取り付けられ、盤裏カバー１０４の下部に、主制御基板１０５を覆った主基板ケース１０６が組み付けられて、さらに主基板ケース１０６にコネクタカバー１０７が組み付けられる。主基板ケース１０６は、蓋側ケース１０８と底側ケース１０９とにより形成される主基板ケース本体１１０と、上端部に回動軸１１１，１１１を有して主基板ケース本体１１０を回動可能に軸支する台座プレート１１２とから構成され、主基板ケース本体１１０は、主制御基板１０５を内部に収納した状態で、金属製のカシメ片１１３により開放不能に封止される。コネクタカバー１０７は、主制御基板１０５の上端部に左右方向に沿って実装された複数のコネクタ１１４（蓋側ケース１０８の開口部１０８ａから外部へ露出される複数のコネクタ１１４）の後方を覆うために、主基板ケース１０６に組み付けられる。
【０００４】
このパチンコ遊技機１００では、主基板ケース１０６及びコネクタカバー１０７は、図１５、１６に示すように組み付けられる。すなわち、まず図１５（ａ）に示すように、盤裏カバー１０４の係止孔１０４ａ（図１３参照）の中央上部から主基板ケース１０６の係止片１０６ａ（図１４参照）を挿通させ、係止片１０６ａを係止孔１０４ａ内の右端に寄せることにより、主基板ケース１０６を盤裏カバー１０４に係止させる。次に、図１５（ｂ）に示すように、主基板ケース１０６の外部に露出したコネクタ１１４に、ハーネス１１５の一端側に設けられた外部コネクタ１１６を接続する。なお、ハーネス１１５は、盤裏カバー１０４の内側を通って中央の開口１０４ｂから外側に出されて主制御基板１０５のコネクタ１１４まで配線される。続いて、図１６（ａ）に示すように、コネクタカバー１０７の係止爪１０７ａ（図１４参照）を主基板ケース１０６の係止溝１０６ｂ（図１４参照）に嵌合させて取付方向（右方）ａへスライドさせることにより、コネクタカバー１０７を主基板ケース１０６に組み付ける。最後に図１６（ｂ）に示すように、主基板ケース１０６をコネクタカバー１０７とともに、取付方向（左方）ｂに移動させることにより（すなわち、主基板ケース１０６の係止片１０６ａを盤裏カバー１０４の係止孔１０４ａ内の左端に寄せることにより）、主基板ケース１０６およびコネクタカバー１０７の組付を完了する。このとき、コネクタカバー１０７に設けられた係合軸（ストッパ突起）１１７は、盤裏カバー１０４に設けられた軸受部（ストッパ部材）１１８に嵌挿される。これにより、主基板ケース１０６を取外し方向（右方）へ移動させてからでなければ、コネクタカバー１０７を取外し方向（左方）へ移動させることができないようになる。
【０００５】
このようにして各部材が組み付けられた遊技盤１０３が遊技機枠１１９に取り付けられると、図１７に示すように、主基板ケース１０６の取外し方向（右方）ｃには、遊技機枠１１９の内枠に取り付けられた受け皿誘導桶１２１および外端ケース１２２が配置される。したがって、主基板ケース１０６の取外し方向ｃへの移動が規制され、主基板ケース１０６を盤裏カバー１０４から取り外すことはできなくなる。また、主基板ケース１０６の取外し方向ｃへの移動が規制されているため、コネクタカバー１０７の取外し方向（左方）ｄへの移動も、盤裏カバー１０４（ストッパ部材１１８）により規制される。したがって、コネクタカバー１０７を主基板ケース１０６から取り外すこともできなくなる。従来のパチンコ遊技機では、このようにして、主制御基板１０５のコネクタ１１４に接続された外部コネクタ１１６を取り外して不正な外部コネクタに差し替える不正行為を防止していた。
【先行技術文献】
【特許文献】
【０００６】
【特許文献１】特開２０１０−１８７９３１号公報
【発明の概要】
【発明が解決しようとする課題】
【０００７】
上記遊技機では、コネクタカバー１０７の取外し方向（左方）への移動を規制するための構成として、「主基板ケース１０６の取外し方向（右方）への移動が阻止されることにより、コネクタカバー１０７のストッパ突起１１７が盤裏カバー１０４に設けられたストッパ部材１１８の穴から離脱できないようになる構成」を採用している（図１７参照）。そのため、遊技機の解体時（リサイクル時）などにおいて、主制御基板１０５のコネクタ１１４に外部コネクタ１１６が差し込まれている状態で主基板ケース１０６を取外し方向へ移動させてからでなければ（図１６（ａ）に示す状態にしてからでなければ）、コネクタカバー１０７を外すことができなかった。外部コネクタ１１６が差し込まれている状態で主基板ケース１０６を取外し方向へ移動させると、外部コネクタ１１６から延びるハーネス１１５が絡み合うなどの不具合が生じ得る。
【０００８】
そこで、本発明は上記事情に鑑み、コネクタカバーによる不正防止効果を維持しつつ、コネクタカバーや主基板ケースの解体作業性や組付作業性を向上させた遊技機を提供することを目的とする。
【課題を解決するための手段】
【０００９】
本発明の遊技機は、遊技機枠と、前記遊技機枠に取り付けられる遊技盤と、前記遊技盤の裏面側に配される基板ケースと、前記基板ケースに収納される制御基板と、前記制御基板に実装され、前記基板ケースに形成された開口部から露出するコネクタと、前記コネクタを覆うコネクタカバーと、を備えた遊技機であって、前記基板ケース及び前記コネクタカバーは、所定経路に沿って移動させることにより着脱される構成とされ、さらに、前記遊技盤を前記遊技機枠に取り付けた状態では、前記遊技機枠又は前記遊技機枠に設けられたストッパ手段により取外し方向への移動が規制され、前記遊技盤を前記遊技機枠から取り外した状態では、当該基板ケースを取外し方向へ移動させることなく当該コネクタカバーを取外し方向へ移動させることができるように、取り付けられていることを特徴とする。
【００１０】
ここで、本発明の遊技機では、前記遊技機枠は、前記遊技盤が取り付けられる内枠と、前記遊技盤の前面を視認可能とする窓部を備えた前枠と、を備えて構成され、前記コネクタカバーは、前記遊技盤を前記遊技機枠に取り付けた状態では、前記内枠により取外し方向への移動が規制されるよう構成されている。
【００１１】
また、本発明の遊技機では、前記基板ケースは、前記制御基板を収納する基板ケース本体と、該基板ケース本体を回動可能に固定する台座部とを備えた構成とされ、前記コネクタカバーは、前記遊技盤を前記遊技機枠に取り付けた状態では、前記基板ケース本体が回動されているか否かにかかわらず、取外し方向への移動が規制される構成とすることができる。
【００１２】
また、本発明の遊技機では、前記遊技盤の裏面側に配される画像表示器と、前記画像表示器を覆う表示器ユニットケースと、前記表示器ユニットケースが組み付けられ、前記遊技盤の裏面側に取り付けられる裏面側部材と、を備え、前記基板ケースは、前記表示器ユニットケースの裏面側に組み付けられ、前記表示器ユニットケースは、前記遊技盤を前記遊技機枠に取り付けた状態では、前記裏面側部材に対する組付部を、当該遊技機の背面側に露出させない構成とすることができる。
【００１３】
また、本発明の遊技機では、前記基板ケースは、前記表示器ユニットケースと前記裏面側部材とに跨って組み付けられている構成とすることができる。
【発明の効果】
【００１４】
本発明によれば、遊技盤を遊技機枠に取り付けた状態では、コネクタカバーの取り外しが規制されるため、不正な外部コネクタに差し替える不正行為を防止することができる。
【図面の簡単な説明】
【００１５】
【図１】本発明の実施形態に係るパチンコ遊技機を背面側から見た斜視図である。
【図２】同実施形態のパチンコ遊技機が備える遊技機枠の斜視図である。
【図３】同実施形態のパチンコ遊技機の主要構成要素を含む主基板ケースの分解斜視図である。
【図４】（ａ）（ｂ）は同実施形態のパチンコ遊技機が備える液晶ユニットを示す斜視図である。
【図５】同実施形態のパチンコ遊技機が備える主基板ケースの分解斜視図である。
【図６】（ａ）（ｂ）は同実施形態のパチンコ遊技機が備えるコネクタカバーを示す斜視図である。
【図７】主制御基板を収納した状態の主基板ケースを示す斜視図である。
【図８】図９とともに同実施形態のパチンコ遊技機が備える主基板ケースおよびコネクタカバーの組付手順を示す背面図であり、主基板ケースを液晶ユニットケースに対して取り付ける手順を示す背面図である。
【図９】（ａ）は、液晶ユニットケースに対して取り付けた主基板ケースのコネクタに外部コネクタ（ハーネス）を取り付ける手順を示す背面図であり、（ｂ）は、主基板ケースに対してコネクタカバーを取り付ける手順を示す背面図である。
【図１０】コネクタカバー及び主基板ケースにより形成されるハーネス通路を示す斜視図である。
【図１１】同実施形態に係るパチンコ遊技機を背面側上方から見た斜視図であり、主基板ケースを回動させた状態を示す図である。
【図１２】同実施形態に係るパチンコ遊技機を背面側下方から見た斜視図であり、主基板ケースを回動させた状態を示す図である。
【図１３】従来の主基板ケースの構成を示す分解斜視図である。
【図１４】図１１の要部拡大図である。
【図１５】従来の主基板ケースおよびコネクタカバーの組付手順を示す背面図である。
【図１６】従来の主基板ケースおよびコネクタカバーの組付手順を示す背面図であり、図１３の続きを示す図である。
【図１７】従来の主基板ケースおよびコネクタカバーを組み付けたパチンコ遊技機の背面図である。
【発明を実施するための形態】
【００１６】
図１は、本発明の実施形態のパチンコ遊技機の背面側を示す概略図である。図１に示すように、実施形態のパチンコ遊技機１は、遊技機枠１０の内部に遊技盤２（図３参照）を取り付けて構成されている。なお、本明細書中、上下方向および左右方向は、図１に示すパチンコ遊技機１の背面側を基準とし、また、前後方向は、パチンコ遊技機１の背面側を後方とし、パチンコ遊技機１の前面側を前方とする。
【００１７】
遊技機枠１０は、図２に示すように、外枠１１と内枠１２とガラス扉枠（前枠に相当する）１３とを備えている。また、遊技機枠１０は、右端部にヒンジ部１６を備えて構成され、ヒンジ部１６により、ガラス扉枠１３は、外枠１１および内枠１２に対してそれぞれ回動自在に連結され、内枠１２は、外枠１１およびガラス扉枠１３に対してそれぞれ回動自在に連結されている。外枠１１は、パチンコ遊技機１の外郭部となる枠体であり、内枠１２は、遊技盤２（図３参照）が取り付けられる枠体であり、ガラス扉枠１３は、遊技盤面を保護するとともに発射ハンドル装置１４などが配設される枠体である。内枠１２は、合成樹脂製とされ、前方から見て中央が貫通された略長方形の枠形状とされている。遊技盤２は、内枠１２に対して前方から取り付けられる。内枠１２に取り付けられた遊技盤２は、図示しない係止部材で、内枠１２から外れないよう係止される。ガラス扉枠１３は、遊技盤２の前面に形成される遊技領域を視認可能な透視窓として、ガラス板（窓部に相当する）１５を備えている。
【００１８】
図１に示すように、内枠１２は、上部に、ホール設備からの遊技球を一時貯留しておくタンクレール１７を有するとともに、右側部に、タンクレール１７内の遊技球をパチンコ遊技機１の球受け皿（図示せず）へ送る払出装置１８、および払出装置１８から球受け皿（図示せず）へ遊技球を誘導する受け皿誘導桶１９を有している。また、内枠１２の下部には、払出制御基板を覆った払出制御基板ケース２１、および電源基板を覆った電源基板ケース２２が配されている。
【００１９】
図３は、パチンコ遊技機１が備える遊技盤２の背面側を示す概略分解斜視図である。図３に示すように、パチンコ遊技機１は、遊技盤２と、遊技盤２の裏面２ａ側に取り付けられる液晶ベース（裏面側部材に相当する）３０と、液晶ベース３０の外表面（後面）３０ａに組み付けられる液晶ユニット３６と、液晶ユニット３６の後面３６ａ側および液晶ベース３０の後面３０ａ側に跨って組み付けられる主基板ケース４０と、主基板ケース４０に取り付けられるコネクタカバー７０とを備えている。
【００２０】
遊技盤２は、ベニヤ板で形成されている。遊技盤２は、前後方向にくりぬかれた中央部に、後方から液晶ベース３０を配置させ、さらにその後方から液晶ユニット３６を配置させる。
【００２１】
液晶ベース３０は、いわゆるセンター役物装置（図示せず）の後ろ側を構成する部材であり、無色透明の合成樹脂材料（例えば、透明なポリカーボネート等）から形成されている。液晶ベース３０は、遊技盤２の裏面２ａ側の略全域を覆うことができるよう前方側を開口させた略箱形状とされ、後述する液晶表示装置４（図４（ａ）参照）の表示画面４ａを遊技盤２の中央部から前方へ臨ませるための開口部３１ａを、後壁部３１に備えている。また、液晶ベース３０は、後壁部３１の右端部に液晶ユニット３６を組み付けるための被係止部３２,３２を備えている。
【００２２】
また、液晶ベース３０は、周壁部３３の前縁から外方へ延設されたフランジ部３４を備えており、フランジ部３４を遊技盤２の裏面２ａ側の周縁部に締結されることにより、遊技盤２に取り付けられる。この締結には、ネジなどの締結手段が利用される。液晶ベース３０が遊技盤２に取り付けられることにより液晶ベース３０と遊技盤２との間に形成される内部空間には、作動すると液晶表示装置４の表示画面４ａ前方へ可動体を露出させる可動役物装置（いわゆるギミック、図示せず）が格納される。
【００２３】
液晶ユニット３６は、図３，４に示すように、いわゆる装飾図柄変動演出やモード演出、大当たり演出を表示画面４ａに表示する液晶表示装置（画像表示器に相当する）４と、液晶表示装置４を制御するためのＭＣＵ（Micro Controller Unit）を実装した画像制御基板２３などの制御基板類と、これらを覆う有色透明の合成樹脂からなる液晶ユニットケース（表示器ユニットケースに相当する）３７と、を備えている。液晶ユニットケース３７は、右端部にクリップ機構（係止手段ともいう、組付部に相当する）３８，３８を備えている。液晶ユニット３６は、このクリップ機構（係止手段）３８，３８を液晶ベース３０の被係止部３２，３２に係止させることにより、液晶ベース３０に対して組み付けられ固定される。なお、液晶ユニット３６を液晶ベース３０に組み付けた状態では、液晶表示装置４の表示画面４ａは、液晶ベース３０の開口部３１ａに位置され、遊技盤２の前面側から視認可能とされる。
【００２４】
主基板ケース４０は、図５に示すように、主制御基板（遊技制御基板）５を収納する主基板ケース本体４１と、主基板ケース本体４１を回動可能に支持する台座プレート（台座部に相当する）５０とを備えて構成され、内部に収納した主制御基板５が外部から視認できるように、無色透明なポリカーボネート等の合成樹脂により形成されている。
【００２５】
主基板ケース本体４１は、前方側の底側ケース４２と後方側の蓋側ケース４３とを備えて略箱形状に構成されるとともに、左縁側の上部に、封止部４４（４４ａ，４４ｂ）を備えて構成されている。主基板ケース本体４１は、底側ケース４２と蓋側ケース４３との間に主制御基板５を収納して、第１の係合手段４５（４５ａ，４５ｂ）及び第２の係合手段４６（４６ａ，４６ｂ）を係合させることにより閉塞され、封止部４４を利用して開放不能に封止される。封止部４４は、蓋側ケース４３の蓋側封止部４４ａと底側ケース４２の底側封止部４４ｂとに跨るように、金属製のカシメ片４７を圧入することにより、主基板ケース本体４１を開放不能に封止するものである。
【００２６】
台座プレート５０は、左右方向を長手方向とし前後方向を薄肉とする薄板状部材で、下端部に、主基板ケース本体４１を回動可能に軸支する支持軸５１，５１を備えている。主基板ケース本体４１は、蓋側ケース４３の下端に設けられた軸支用係合部５２，５２を支持軸５１，５１に係合させることにより、台座プレート５０に対して、下方へ向かって（図１１に矢印Ｘで示す方向へ）略９０度まで回動可能に取り付けられる（図１１参照）。これにより、主基板ケース４０がパチンコ遊技機１に組み付けられたままでも、主制御基板５の裏面５ａ（実装面５ｂの反対側の面）を視認できるようになっている。
【００２７】
また、台座プレート５０は、上端部に、主基板ケース本体４１の上端（蓋側ケース４３の上端）を係止可能な係止フック５３を備えている。台座プレート５０に対して回動可能に軸支された主基板ケース本体４１は、この係止フック５３に係止されることにより、通常時は回動を規制されている（図１０参照）。
【００２８】
また、台座プレート５０の前面側には、液晶ユニットケース３７の後面下部に形成された係止孔５５，５５，５５（図４参照）に、主基板ケース４０を係止するための係止片５４，５４，５４が設けられている。図８に示すように、係止片５４，５４，５４を係止孔５５，５５，５５に挿通させ、さらに主基板ケース４０を液晶ユニットケース３７に対して取付方向（左方）へ移動させて係止片５４，５４，５４を液晶ユニットケース３７に引っ掛けることにより、主基板ケース４０は、液晶ユニット３６に組み付けられる。
【００２９】
また、台座プレート５０の右端上部には、液晶ユニットケース３７に設けられた係合孔５７（図４参照）に係合可能な係合片５６が設けられている。係合片５６は、前後方向に撓み可能とされ、主基板ケース４０を液晶ユニットケース３７に対して左方へ移動させた際に、係合孔５７に嵌合する（図８参照）。これにより、係合片５６を係合孔５７から抜かなければ、主基板ケース４０を右方へ移動させることができなくなり、液晶ユニットケース３７に組み付けた主基板ケース４０が取外し方向（右方）へずれるのが規制される。
【００３０】
また、台座プレート５０の右端下部にも、前方へ突出した係止片５８が設けられている。この係止片５８は、主基板ケース４０を液晶ユニットケース３７に対して取付方向（左方）へ移動させて固定させる際に、液晶ベース３０の後壁部３１の下部に形成された被係止部５９（図３参照）に係止される。これにより、主基板ケース４０の組付完了状態（図８参照）において、主基板ケース４０の下端が液晶ベース３０に対してぶらつくのが防止され、主基板ケース４０の組付が安定する。また、これにより、液晶ユニット３６が、液晶ベース３０に対して直接組み付けられるだけでなく、主基板ケース４０を介して間接的にも組み付けられることとなるので、液晶ユニット３６の液晶ベース３０に対する組付も安定する。
【００３１】
また、図５に示すように、主制御基板５は、裏面５ａ（実装面５ｂの反対側の面）を底側ケース４２側に向けて、蓋側ケース４３に固定されて、主基板ケース本体４１に収納される。主制御基板５は、大当たり抽選（即ち、大当たり乱数の取得とその大当たり乱数を用いた判定）や遊技状態の移行など主に利益に関わる制御を行うものである。なお、大当たり抽選は、遊技球の始動口への入賞に対して行われる。主制御基板５には、始動口に入賞した遊技球を検知する始動口ＳＷ（スイッチ）、大当たり遊技中に大入賞口を開口させる大入賞口ソレノイド、大入賞口に入賞した遊技球を検知する大入賞口ＳＷなどの電子部品が接続されるとともに、遊技の進行に伴って各種の演出を実行し制御するための演出制御基板や画像制御基板２３（図３参照）などの制御基板類が、中継基板を介して接続される。
【００３２】
主制御基板５の下端部には、これらの制御基板類や電子部品を接続するためのコネクタ６が複数実装されている。各コネクタ６は、主制御基板５が主基板ケース本体４１に収納されている状態においては、蓋側ケース４３の下端部に形成された開口部４８から主基板ケース本体４１の外部へ露出される（図７，８参照）。主基板ケース本体４１の外部へ露出された各コネクタ６には、ハーネス６２の一端側に設けられた外部コネクタ６３が接続される（図９（ａ）参照）。このハーネス６２の他端側のコネクタ（図示せず）には、演出制御基板や画像制御基板２３などの各種制御基板が接続された中継基板や、始動口ＳＷや大入賞口ＳＷなどの電子部品が接続される。このようにして、主制御基板５は、各種の制御基板や電子部品と接続される。
【００３３】
図５に示すように、主基板ケース４０には、蓋側ケース４３の開口部４８から露出するコネクタ６を覆って、このコネクタ６に接続される外部コネクタ６３（図９（ａ）参照）を取り外すことができないようにするため、コネクタカバー７０が取り付けられる。図６（ａ）（ｂ）に示すように、コネクタカバー７０は、コネクタ６を覆うコネクタカバー本体部７１と、後述するハーネス通路８０（図１０参照）を形成するための前側ハーネス通路形成部７７を備えている。コネクタカバー本体部７１は、左右方向を長手方向とする長尺薄板形状とされ、左右方向に沿って配されたコネクタ６の後方全域を覆うものである。
【００３４】
また、コネクタカバー７０は、蓋側ケース４３における開口部４８の下方に設けられた係合溝７６，７６，７６（図７参照）に係合可能な係合爪７５，７５，７５を備えている。係合爪７５，７５，７５は、コネクタカバー７０の前面側から前方へ突出した平面視略Ｌ字形状とされている。これらの係合爪７５，７５，７５を係合溝７６，７６，７６に挿通させて、コネクタカバー７０を主基板ケース４０に対して取付方向（左方）へ移動させることにより、コネクタカバー７０は、主基板ケース４０に対して組み付けられる（図９（ｂ）参照）。コネクタカバー７０は、このようにして主基板ケース４０に対して組み付けられるので、取外し方向（右方）へ移動させてからでなければ、主基板ケース４０から取り外すことができない。
【００３５】
また、コネクタカバー７０は、台座プレート５０の右端下部に設けられた軸受部７４（図５，７参照）に挿通される係合軸７３を備えている。係合軸７３は、コネクタカバー本体部７１の右端から下方へ延設された延設部７２の左側面から左方へ突設されている。コネクタカバー７０を主基板ケース４０に組み付ける際、この係合軸７３は、軸受部７４に対して右側から挿通される（図９（ｂ）参照）。この係合軸７３は、主基板ケース本体４１を台座プレート５０に対して回動させる際の回動軸（支持軸５１，５１）と同軸上に位置しているため（図１１参照）、実施形態のパチンコ遊技機１では、コネクタカバー７０を主基板ケース４０に組み付けた状態で、主基板ケース本体４１をコネクタカバー７０とともに台座プレート５０に対して回動させることが可能となっている。
【００３６】
なお、実施形態のパチンコ遊技機１において、コネクタ６が主制御基板５の上端部ではなく下端部に設けられているのは、始動口ＳＷや大入賞口ＳＷなどの電子部品から延びるハーネス６２の収納し易さを考慮したためである。すなわち、実施形態のパチンコ遊技機１では、液晶ベース３０と遊技盤２との間に収納する可動役物装置（図示せず）の大きさに合わせて、液晶ベース３０の周壁部３３の下壁３３ａが水平方向に沿って後方へ延びているため（図１０矢印Ｙ部参照）、遊技盤２の裏面側の下部に配された始動口ＳＷや大入賞口ＳＷから延びるハーネス６２を、主制御基板５の上端部まで配線することが難しい。そこで、実施形態のパチンコ遊技機１では、始動口ＳＷや大入賞口ＳＷから延びるハーネス６２を、液晶ベース３０の下部に設けられた掛止部３０ｂに掛止させながら、主制御基板５の下端部へ配線することとしている。
【００３７】
ただし、このような配線とした場合、主基板ケース本体４１を台座プレート５０に対して回動させた際に、ハーネス６２が下方に撓んで膨らみ、パチンコ遊技機１の後方へ突出してしまうおそれがある。そこで、実施形態のパチンコ遊技機１では、図１０に示すように、コネクタカバー７０と、主基板ケース４０とにより、左右方向に沿って延びるハーネス通路８０を形成するようにしている。具体的には、ハーネス通路８０は、コネクタカバー７０の備える前側ハーネス通路形成部７７と、主基板ケース４０の蓋側ケース４３が備える後側ハーネス通路形成部７８とにより形成される。前側ハーネス通路形成部７７は、図６に示すように、コネクタカバー７０の下部に設けられ、側面から見て上方から下方へ向かって前方へ湾曲する形状とされている。また、後側ハーネス通路形成部７８は、図７に示すように、主基板ケース４０の蓋側ケース４３の下部に設けられ、側面から見て上方から下方へ向かって後方へ湾曲する形状とされている。そして、コネクタカバー７０を主基板ケース４０に取り付けると、図１０に示すように、前側ハーネス通路形成部７７の下端と、後側ハーネス通路形成部７８の下端とが接して、左右方向に延びる側面視略円環状のハーネス通路８０が形成される。このハーネス通路８０には、始動口ＳＷや大入賞口ＳＷなどから延びる各種ハーネス６２が挿通される。なお、主制御基板５に設けられたコネクタ６のうち左側にある４つのコネクタ６に接続されるハーネス６２が、ハーネス通路８０の左側の開口８０ａを通り、右側にある１つのコネクタ６に接続されるハーネス６２が、ハーネス通路８０の右側の開口８０ｂを通る。
【００３８】
このように実施形態のパチンコ遊技機１では、コネクタカバー７０と主基板ケース４０とによりハーネス通路８０が形成され、主制御基板５に接続されるハーネス６２は、このハーネス通路８０を通って（すなわち、ハーネス通路形成部７７，７８内に収納されて）主制御基板５に接続されるため、主基板ケース本体４１を台座プレート５０に対して回動させても、ハーネス６２が膨らまず、ハーネス６２がパチンコ遊技機１の後方へ突出するのを抑えることができる。
【００３９】
ここで、図８および図９（ａ）（ｂ）に基づいて、遊技盤２に取り付けられた液晶ベース３０及び液晶ユニット３６に対する主基板ケース４０及びコネクタカバー７０の組み付け手順をまとめて説明する。まず図８に示すように、主基板ケース４０を構成する台座プレート５０に設けた係止片５４，５４，５４を、液晶ユニットケース３７に設けた係止孔５５，５５，５５内に差し込んでから、主基板ケース４０を取付方向（左方）Ａへ移動させて、主基板ケース４０を液晶ユニットケース３７に対して係止させる。このとき、主基板ケース４０の係合片５６も、液晶ユニットケース３７の係合孔５７（図４（ｂ）参照）に係合されるので、主基板ケース４０の取外し方向（右方）Ｂへの移動は規制される。また、主基板ケース４０の右端下部に設けられた係止片５８も、液晶ベース３０の被係止部５９に係止されるので、主基板ケース４０の組み付けが安定する。
【００４０】
次に図９（ａ）に示すように、主基板ケース４０の開口部４８から露出した主制御基板５のコネクタ６に、ハーネス６２の外部コネクタ６３を接続して、主制御基板５に対して各種の電子部品や制御基板を接続させる。
【００４１】
最後に図９（ｂ）に示すように、コネクタカバー７０に設けられた係合爪７５，７５，７５（図６参照）を、主基板ケース４０に設けられた係合溝７６，７６，７６（図７参照）に挿通させてから、コネクタカバー７０を主基板ケース４０に対して取付方向（左方）Ｃへ移動させて、コネクタカバー７０を主基板ケース４０に対して組み付ける。このとき、コネクタカバー７０の係合軸７３も、主基板ケース４０の軸受部７４に挿通される。これにより、遊技盤２に取り付けられた液晶ベース３０及び液晶ユニット３６に対する主基板ケース４０及びコネクタカバー７０の組み付けが完了する。
【００４２】
次に、このように各部材を組み付けた遊技盤２を、遊技機枠１０に取り付けた状態について説明する。図１は、遊技盤２を遊技機枠１０に取り付けた状態のパチンコ遊技機１の背面側斜視図である。図１に示すように、遊技盤２を内枠１２に取り付けた状態では、内枠１２中央の貫通部１２ａ（図２参照）から、遊技盤２に組みつけられた液晶ベース３０、液晶ユニット３６、主基板ケース４０、コネクタカバー７０などが後方へ突出する。なお、図１においては、液晶ユニット３６に後方からカバー部材３９を取り付けている。この状態では、内枠１２の右壁１２ｂが、主基板ケース４０の右端に接近して位置する。したがって、この状態で、主基板ケース４０を取外し方向（右方）Ｂへスライドさせようとしても、内枠１２の右壁１２ｂに当たり、移動させることができない。すなわち、内枠１２の右壁１２ｂが、主基板ケース４０の取外し方向への移動を規制するストッパ部材として機能することとなる。よって、主基板ケース４０の取り外しが規制されるため、主基板ケース４０に収納された主制御基板５を改造したり取り替えたりする不正行為を防止することができる。
【００４３】
また、遊技盤２を内枠１２に取り付けた状態では、内枠１２の右壁１２ｂが、コネクタカバー７０の右端に接近して位置する。したがって、この状態で、コネクタカバー７０を取外し方向（右方）Ｄへスライドさせようとしても、内枠１２の右壁１２ｂに当たり、移動させることができない。すなわち、内枠１２の右壁１２ｂが、コネクタカバー７０の取外し方向への移動を規制するストッパ部材として機能することとなる。よって、コネクタカバー７０の取り外しが規制されるため、主制御基板５側のコネクタ６に接続された外部コネクタ６３（図９（ａ）参照）を取り外して、不正な外部コネクタと差し替える不正行為を防止することができる。
【００４４】
さらに、遊技盤２を内枠１２に取り付けた状態では、液晶ユニット３６を液晶ベース３０に対して組み付けるために利用したクリップ機構（組付部）３８（図３参照）は、払出装置１８及び受け皿誘導桶１９の前方に位置され（図１２参照）、パチンコ遊技機１の背面側に露出しない（図１参照）。よって、実施形態のパチンコ遊技機１では、遊技盤２を内枠１２に取り付けた状態でクリップ機構３８を触ることができないため、クリップ機構３８を被係止部３２（図３参照）から外して液晶ユニット３６の液晶ベース３０に対する組付を解除して、液晶ユニット３６ごと主基板ケース４０を取り外す不正行為を防止することができる。
【００４５】
また、図１１，１２に示すように、遊技盤２を内枠１２に取り付けた状態において、主基板ケース本体４１を台座プレート５０に対して回動させた場合であっても、コネクタカバー７０の右方には、内枠１２の右壁１２ｂが位置する。したがって、この状態においても、コネクタカバー７０の取外し方向（右方）Ｄへの移動が規制されるため、コネクタカバー７０を取り外すことはできない。
【００４６】
なお、このように各部材が組み付けられたパチンコ遊技機１を解体する場合には、まず遊技盤２を遊技機枠１０から取外して、コネクタカバー７０及び主基板ケース４０の取外し方向への移動を可能にする。そして、図８及び図９（ａ）（ｂ）に示したのとは逆の順序により、すなわち、まずコネクタカバー７０を主基板ケース４０から外し、次にハーネス６２をコネクタ６から外して、最後に主基板ケース４０を液晶ユニット３６から外すことにより、遊技盤２に組み付けられた各部品を順次取り外していく。このように実施形態のパチンコ遊技機１では、パチンコ遊技機１の解体時において、ハーネス６２がコネクタ６に差し込まれたまま主基板ケース４０を移動させる必要がないため、ハーネス６２が絡まるおそれがなく、解体作業性がよい。
【００４７】
以上説明したように、実施形態のパチンコ遊技機１は、遊技機枠１０と、遊技機枠１０に取り付けられる遊技盤２と、遊技盤２の裏面２ａ側に配される主基板ケース４０と、主基板ケース４０に収納される主制御基板５と、主制御基板５に実装され、主基板ケース４０に形成された開口部４８から露出するコネクタ６と、コネクタ６を覆うコネクタカバー７０と、を備えている。そして、主基板ケース４０及びコネクタカバー７０は、所定経路（左右方向）に沿って移動させることにより着脱される構成とされ、さらに、遊技盤２を遊技機枠１０に取り付けた状態では、遊技機枠１０により取外し方向への移動が規制され、遊技盤２を遊技機枠１０から取り外した状態では、当該主基板ケース４０を取外し方向へ移動させることなく当該コネクタカバー７０を取外し方向へ移動させることができるように、取り付けられている。
【００４８】
より具体的には、実施形態のパチンコ遊技機１では、主基板ケース４０は、左方へ移動させることにより遊技盤２に対して組み付けられ、右方へ移動させることにより遊技盤２に対する組付を解除される構成とされ、さらに、遊技盤２を遊技機枠１０に取り付けた状態では取外し方向（右方）への移動が規制され、遊技盤２を遊技機枠１０から取り外した状態では取外し方向（右方）への移動が可能となるように取り付けられており、また、コネクタカバー７０は、左方（第１の方向）へ移動させることにより主基板ケース４０に取り付けられ、右方（第２の方向）へ移動させることにより主基板ケース４０から取り外される構成とされ、さらに、遊技盤２を遊技機枠１０に取り付けた状態では取外し方向（右方、第２の方向）への移動が規制され、遊技盤２を遊技機枠１０から取り外した状態では主基板ケース４０の組付状態にかかわらず（すなわち、基板ケース４０が組付完了状態（図８に実線で示す状態）にあるのか、組付途中の状態（図８に二点鎖線で示す状態）にあるのかにかかわらず）、取外し方向（右方、第２の方向）への移動が可能となるように、主基板ケース４０に取り付けられている。
【００４９】
したがって、実施形態のパチンコ遊技機１によれば、遊技盤２を遊技機枠１０に取り付けた状態では、コネクタカバー７０の取り外し（取外し方向への移動）が規制されるため、不正な外部コネクタに差し替える不正を防止することができる。さらに、遊技盤２を遊技機枠１０から取り外した状態では、主基板ケース４０を移動させることなく、コネクタカバー７０を取り外す（取外し方向へ移動させて取り外す）ことができるので、パチンコ遊技機１の解体時などにおいて、外部コネクタ６３が差し込まれたまま主基板ケース４０を移動させる必要がなく、主基板ケース４０などの解体作業性が良い。
【００５０】
また、実施形態のパチンコ遊技機１では、遊技機枠１０は、遊技盤２が取り付けられる内枠１２と、遊技盤２の前面を視認可能とするガラス板（窓部）１５を備えたガラス扉枠（前枠）１３とを備えて構成され、コネクタカバー７０は、遊技盤２を遊技機枠１０に取り付けた状態では、内枠１２の右壁１２ｂにより取外し方向への移動が規制されるよう構成されている。
【００５１】
したがって、実施形態のパチンコ遊技機１によれば、コネクタカバー７０は内枠１２により取外しを規制されるので、遊技機枠１０に備え付けられる部材（例えば、受け皿誘導桶１９など）の配置や形状の影響を受けることなく容易に取外しを規制することができる。
【００５２】
また、実施形態のパチンコ遊技機１では、主基板ケース４０は、主制御基板５を収納する主基板ケース本体４１と、主基板ケース本体４１を回動可能に固定する台座プレート（台座部）５０とを備えて構成され、コネクタカバー７０は、遊技盤２を遊技機枠１０に取り付けた状態では、主基板ケース本体４１が回動されているか否かにかかわらず、取外し方向への移動が規制されている。
【００５３】
したがって、実施形態のパチンコ遊技機１によれば、主基板ケース４０は台座プレート（台座部）５０に対して回動可能であるため、主基板ケース４０を遊技盤２に組み付けたままでも主制御基板５の実装面５ｂと裏面５ａを視認することができ、主制御基板５が改造等されていないかの確認が容易である。そして、主基板ケース４０を回動させてもさせなくても、コネクタカバー７０の取り外し（取外し方向への移動）が規制されるため、コネクタカバー７０による不正防止効果を維持することができる。
【００５４】
また、実施形態のパチンコ遊技機１は、遊技盤２の裏面２側に配される液晶表示装置（画像表示器）４と、液晶表示装置４を覆う液晶ユニットケース（表示器ユニットケース）３７と、液晶ユニットケース３７が組み付けられ、遊技盤２の裏面２ａ側に取り付けられる液晶ベース（裏面側部材）３０とを備え、主基板ケース４０は、液晶ユニットケース３７の裏面側に組み付けられ、液晶ユニットケース３７は、遊技盤２を遊技機枠１０に取り付けた状態では、液晶ベース３０に対する組付部（クリップ機構）３８を、遊技機２の背面側に露出させないよう構成されている。
【００５５】
したがって、実施形態のパチンコ遊技機１によれば、遊技盤２を遊技機枠１０に取り付けた状態では、主基板ケース４０が組み付けられた液晶ユニットケース３７の取り外しも規制されるため、液晶ユニットケース３７ごと主基板ケース４０を取り外そうとする不正行為を抑制することができる。
【００５６】
また、実施形態のパチンコ遊技機１では、主基板ケース４０は、液晶ユニットケース（表示器ユニットケース）３７と液晶ベース（裏面側部材）３０とに跨って組み付けられている。
【００５７】
したがって、実施形態のパチンコ遊技機１によれば、主基板ケース４０の組付が安定する。さらに、液晶ユニットケース３７が液晶ベース３０に対して直接組み付けられているだけでなく、主基板ケース４０を介して間接的にも組み付けられているため、液晶ユニットケース３７の液晶ベース３０に対する組み付けも安定する。
【００５８】
また、実施形態のパチンコ遊技機１では、コネクタカバー７０は、コネクタ６に接続されるハーネス６２を収納するための前側ハーネス通路形成部（コネクタカバー側ハーネス通路形成部）７７を備え、主基板ケース本体４１は、コネクタ６に接続されるハーネス６２を収納するための後側ハーネス通路形成部（基板ケース側ハーネス通路形成部）７８を備え、コネクタカバー７０を主基板ケース４０に組み付けた状態において、前側ハーネス通路形成部７７と、後側ハーネス通路形成部７８とにより、コネクタ６に接続されるハーネス６２を収納可能なハーネス通路８０が形成される。なお、このハーネス通路８０は、側面視略円環状とされ、左右方向に沿って（主制御基板５の側縁に沿って）延びており、左右方向の両端８０ａ，８０ｂが主制御基板５に接続されて延びるハーネス６２の出口となっている。
【００５９】
したがって、実施形態のパチンコ遊技機１によれば、主制御基板５のコネクタ６に接続されたハーネス６２が、ハーネス通路８０を通っている（ハーネス通路形成部７７，７８内に収納されている）ため、主基板ケース本体４１を台座プレート５０に対して回動させた際に、ハーネス６２がパチンコ遊技機１の後方へ膨らむのを防止することができる。
【００６０】
なお、実施形態では、主基板ケース４０およびコネクタカバー７０の取付方向および取外し方向を左右方向として構成した、すなわち主基板ケース４０およびコネクタカバー７０を着脱するための所定経路を左右方向として構成したが、主基板ケース４０の取付方向および取外し方向は、上下方向、前後方向などその他の方向としてもよい。
【００６１】
また、実施形態では、遊技盤２を遊技機枠１０に取り付けた状態において、内枠１２の右壁１２ｂが、主基板ケース４０及びコネクタカバー７０の取外し方向への移動を規制するストッパ部材として機能するよう構成したが、払出装置１８や受け皿誘導桶１９など遊技機枠１０に設けた他の部材が、ストッパ部材（ストッパ手段に相当する）として機能するよう構成してもよい。この場合、主基板ケース４０に対するストッパ部材と、コネクタカバー７０に対するストッパ部材とが異なっていてもよい。
【００６２】
また、実施形態では、コネクタカバー７０を主基板ケース４０に対して取り付ける構成としたが、遊技盤２を遊技機枠１０に取り付けた状態では取り外しが規制され、遊技盤２を遊技機枠１０から取り外した状態では基板ケース４０の組付状態にかかわらず取り外しが可能であれば、液晶ユニットケース３７や液晶ベース３０など、遊技盤２の裏面側に配される他の部材に対して取り付ける構成としてもよい。
【００６３】
また、実施形態では、主に遊技利益に関わる制御を行う主制御基板５を収納する主基板ケース４０の構成として説明したが、遊技中に実行する演出の制御を行う演出制御基板などの他の制御基板を収納する基板ケースの構成として利用してもよい。
【００６４】
また、実施形態では、パチンコ遊技機を例として説明したが、スロットマシン等の他の遊技機が備える制御基板を収納する基板ケース等の構成として利用してもよい。
【符号の説明】
【００６５】
１…遊技機
２…遊技盤
４…液晶表示装置（画像表示器）
５…主制御基板
６…コネクタ
１０…遊技機枠
１２…内枠
１３…ガラス扉枠（前枠）
１５…ガラス板（窓部）
３０…液晶ベース（裏面側部材）
３７…液晶ユニットケース（表示器ユニットケース）
３８…クリップ機構（組付部）
４０…主基板ケース
４１…主基板ケース本体
４８…開口部
５０…台座プレート（台座部）
７０…コネクタカバー
【図１】
0005285753.tif 000002
【図２】
0005285753.tif 000003
【図３】
0005285753.tif 000004
【図４】
0005285753.tif 000005
【図５】
0005285753.tif 000006
【図６】
0005285753.tif 000007
【図７】
0005285753.tif 000008
【図８】
0005285753.tif 000009
【図９】
0005285753.tif 000010
【図１０】
0005285753.tif 000011
【図１１】
0005285753.tif 000012
【図１２】
0005285753.tif 000013
【図１３】
0005285753.tif 000014
【図１４】
0005285753.tif 000015
【図１５】
0005285753.tif 000016
【図１６】
0005285753.tif 000017
【図１７】
0005285753.tif 000018